【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
電気モータであって、前記モータは、
複数のステータ歯を備えるステータと、
第１のロータと、
前記第１のロータと前記ステータ歯との間にある空隙と、
磁束戻し部と、
を備え、
前記第１のロータおよび前記ステータは、モータ軸の周りで互いに対して回転するように動作的に構成され、
前記複数のステータ歯は折り畳まれたテープを備え、
前記折り畳まれたテープは、第１の縁部と第２の縁部との間の幅を有する磁束誘導材料の複数のリボン層を備え、
前記折り畳まれたテープは、ロータ折畳み部および戻し折畳み部を備え、
前記ロータ折畳み部にある前記折り畳まれたテープの第１の縁部は、前記第１のロータに隣接して位置合わせされ、前記戻し折畳み部にある前記折り畳まれたテープの第１の縁部は、前記磁束戻し部に隣接して位置合わせされ、
それによって、前記モータは、磁束を前記第１のロータから前記空隙を横切って前記ロータ折畳み部にある前記折り畳まれたテープの第１の縁部内に、かつ前記折り畳まれたテープの第１の縁部から出て前記戻し折畳み部にある磁束戻し部内に戻るよう誘導するように操作的に構成される、電気モータ。
【請求項２】
前記複数のステータ歯は、離散し折り畳まれたテープ部分を備える離散したステータ歯を備える、請求項１に記載の電気モータ。
【請求項３】
前記離散し折り畳まれたテープ部分のそれぞれは、前記離散し折り畳まれたテープ部分の内部に空隙を備える、請求項２に記載の電気モータ。
【請求項４】
前記離散し折り畳まれたテープ部分のそれぞれは、平坦化されたテープを巻き付けたトロイドを備える、請求項２に記載の電気モータ。
【請求項５】
前記複数のステータ歯は、２つ以上の連続したステータ歯を備え、前記２つ以上の連続したステータ歯は、前記折り畳まれたテープの連続ループを備える、請求項１に記載の電気モータ。
【請求項６】
前記折り畳まれたテープは連続ループである、請求項１に記載の電気モータ。
【請求項７】
前記折り畳まれたテープは、前記複数のリボン層の間にスペーサを備える、請求項１に記載の電気モータ。
【請求項８】
前記折り畳まれたテープの折畳み部の少なくとも一部は、１８０度の折畳み角度を有する、請求項１に記載の電気モータ。
【請求項９】
前記ステータは、複数のステータ歯を有する第１の半ステータおよび複数のステータ歯を有する第２の半ステータを備え、前記磁束戻し部は、前記第１のロータに対して同心でありかつ前記第１の半ステータと前記第２の半ステータとの間に軸方向に位置付けられ、前記第１のロータは、前記第１の半ステータのステータ歯と前記第２の半ステータのステータ歯との間に軸方向に位置付けられる、請求項１に記載の電気モータ。
【請求項１０】
前記ステータは非対称のステータとして構成される、請求項１に記載の電気モータ。
【請求項１１】
前記ステータは、複数のステータ歯を有する第１の半ステータおよび複数のステータ歯を有する第２の半ステータを備え、前記磁束戻し部は、前記第１のロータに対して同心でありかつ前記第１の半ステータと前記第２の半ステータとの間に軸方向に位置付けられる、請求項１に記載の電気モータ。
【請求項１２】
前記磁束戻し部は、前記第１の半ステータを第２の半ステータに磁気結合させる、請求項１１に記載の電気モータ。
【請求項１３】
前記磁束戻し部は、第１の戻し縁部と第２の戻し縁部との間の軸方向の幅を有する磁束誘導材料の複数のリボン層を備え、前記磁束戻し部は、第１の戻し縁部および第２の戻し縁部および複数のリボン層を備えるテープを備え、それによって、前記モータは、前記磁束を前記第１の半ステータから前記磁束戻し部の第１の戻し縁部内に、前記磁束戻し部を通って、かつ前記磁束戻し部の第２の戻し縁部から出て前記第２の半ステータ内に誘導するように操作的に構成される、請求項１２に記載の電気モータ。
【請求項１４】
前記磁束戻し部は、前記第１の半ステータおよび前記第２の半ステータに機械的支持を提供する、請求項１１に記載の電気モータ。
【請求項１５】
前記磁束戻し部は、前記第１の半ステータに隣接する第１の戻し縁部および前記第２の半ステータに隣接する第２の戻し縁部を備え、それによって、前記モータは、前記磁束を前記第１の半ステータから前記磁束戻し部を通って前記第２の半ステータに誘導するように操作的に構成される、請求項１１に記載の電気モータ。
【請求項１６】
前記磁束戻し部を中心に構成されたコイルをさらに備える、請求項１に記載の電気モータ。
【請求項１７】
前記モータは複数のステータを備える、請求項１に記載の電気モータ。
【請求項１８】
前記モータは、互いから１２０度の電気角に構成された３つのステータを備える、請求項１７に記載の電気モータ。
【請求項１９】
前記第１のロータは、前記第１の半ステータのステータ歯と前記第２の半ステータのステータ歯との間に軸方向に位置付けられる、請求項１１に記載の電気モータ。
【請求項２０】
前記第１のロータは、交番磁界ロータ、磁束集中器型ロータまたは低損失の磁束集中型ロータである、請求項１に記載の電気モータ。
【請求項２１】
前記モータは横断磁束モータである、請求項１に記載の電気モータ。
【請求項２２】
前記横断磁束モータは、面内の３相軸方向型横断磁束モータ、二重面内の３相型横断磁束モータ、軸方向に積層された３相型横断磁束モータ、または単相型横断磁束モータである、請求項２１に記載の電気モータ。
【請求項２３】
前記折り畳まれたテープ部分は少なくとも２００個のリボン層を備える、請求項２に記載の電気モータ。
【請求項２４】
前記折り畳まれたテープは少なくとも５ｍｍの厚さを有する、請求項１に記載の電気モータ。
【請求項２５】
前記折り畳まれたテープは３ｃｍ以下の幅を有する、請求項１に記載の電気モータ。
【請求項２６】
前記リボン層のそれぞれは２５μｍ以下の厚さを有する、請求項１に記載の電気モータ。
【請求項２７】
前記ステータは少なくとも１８０個のステータ歯を備える、請求項１に記載の電気モータ。
【請求項２８】
前記モータは第２のロータを備え、前記ステータのステータ歯は、前記第１のロータと前記第２のロータとの間に軸方向に位置付けられ、それによって、前記モータは、前記磁束を前記第１のロータおよび前記第２のロータの両方から前記ステータ内に誘導するように操作的に構成される、請求項１に記載の電気モータ。
【請求項２９】
前記第１の半ステータおよび前記第２の半ステータは、非対称の半ステータとして構成される、請求項１１に記載の電気モータ。
【請求項３０】
前記モータは、
ａ．２つのステータスタックと、
ｂ．１つのコイルと、
ｃ．１つの戻し部と、
を備える多相モータであり、
それによって、それぞれの追加の相に対して、１つのステータスタック、１つのコイルおよび１つの戻し部が追加される、請求項１に記載の電気モータ。
【請求項３１】
ステータ磁石部であって、前記磁石部は、
ａ．テープを備える第１の半ステータであって、前記テープは、
ｉ．第１の半ステータのテープ縁部と、
ｉｉ．複数の第１のリボン層と、
ｉｉｉ．前記テープの形成された部分を備える複数のステータ歯と、
を備える、第１の半ステータと、
ｂ．テープを備える第２の半ステータであって、前記テープは、
ｉ．第２の半ステータのテープ縁部と、
ｉｉ．複数の第２のリボン層と、
ｉｉｉ．前記テープから形成された部分を備える複数のステータ歯と、
を備える、第２の半ステータと、
ｃ．第１の戻し部と、
を備え、
それによって、前記第１の半ステータのテープ縁部および前記第２の半ステータのテープ縁部はロータに隣接して構成され、磁束を前記ロータから前記テープ縁部を通って誘導するように構成される、ステータ磁石部。
【請求項３２】
前記磁束は、前記ロータの第１の側面から前記第１の半ステータのテープ縁部に、前記第１のリボン層を通って、前記第１の半ステータのテープ縁部から前記第１の戻し部に、前記第１の戻し部から前記第２の半ステータのテープ縁部に、前記第２のリボン層を通って、前記第２の半ステータのテープ縁部から前記ロータの第２の側面に戻るように誘導される、請求項３１に記載のステータ磁石部。
【請求項３３】
前記磁石部は、
ａ．テープを備える第２の戻し部であって、前記テープは、
ｉ．第１の戻し縁部および第２の戻し縁部と、
ｉｉ．複数のリボン層と、
を備える、第２の戻し部
をさらに備え、
それによって、前記磁束は、前記第１の半ステータから前記第２の戻し部の第１の戻し縁部内に、前記第２の戻し部を通って、かつ前記第２の戻し部の第２の戻し縁部から出て前記第２の半ステータ内に誘導される、請求項３１に記載のステータ磁石部。